(57)【要約】【課題】  タンス，食器棚，書籍棚等の家具のスイングする扉の閉じ動作時の衝撃を緩衝するダンパの家具取付用のホルダに関するものであり、ダンパの取付位置（特にダンパ先端部の位置）を前後方向に極めて簡単に微調整することができる家具用ダンパホルダを提供すること。【解決手段】  外螺子部５が形成された移動部Ｂと、前記外螺子部５と螺合し，前記移動部Ｂが回動操作によって軸方向に移動する内螺子部３が形成されたべ一ス部Ａとからなること。前記べ一ス部Ａ又は移動部Ｂに装着するダンパの先端位置を前記移動部Ｂの回動操作にて調節自在としてなること。【選択図】      図１
2006104680.tif 000002
【特許請求の範囲】
【請求項１】
外螺子部が形成された移動部と、前記外螺子部と螺合し，前記移動部が回動操作によって軸方向に移動する内螺子部が形成されたべ一ス部とからなり、前記べ一ス部又は移動部に装着するダンパの先端位置を前記移動部の回動操作にて調節自在としてなることを特徴とする家具用ダンパホルダ。
【請求項２】
外螺子部が外周に形成され，ダンパ収納部が内方に形成された移動部と、前記外螺子部と螺合する内螺子部が貫通孔形状に形成されたべ一ス部とからなり、前記移動部の回動操作とともに前記ダンパ収納部に収納するダンパの先端位置を前後方向に調節自在としてなることを特徴とする家具用ダンパホルダ。
【請求項３】
請求項２において、前記移動部のダンパ収納部は、ダンパを固定可能な貫通孔としてなることを特徴とする家具用ダンパホルダ。
【請求項４】
請求項２又は３において、前記移動部には、前記ダンパ収納部に装着するダンパのピストン出入部側に位置して、前記外螺子部よりも大なる直径のダイアル部が形成されてなることを特徴とする家具用ダンパホルダ。
【請求項５】
外螺子部が外周に形成された移動部と、貫通孔形状のダンパ収納部と，該ダンパ収納部の軸方向端部に形成されるとともに，前記外螺子部と螺合する内螺子部とを有するべ一ス部とからなり、前記移動部の回動操作とともに前記ダンパ収納部に収納するダンパの先端位置を前方に調節自在としてなることを特徴とする家具用ダンパホルダ
【請求項６】
請求項５において、前記移動部の外螺子部の軸方向に隣接するとともに、該外螺子部より大なる直径の撮み部が形成されてなることを特徴とする家具用ダンパホルダ。
【請求項７】
請求項１，２，３，４，５又は６において、前記外螺子部は内螺子部よりもネジ径が僅かに大なることを特徴とする家具用ダンパホルダ。
【発明の詳細な説明】
【技術分野】
【０００１】
本発明は、タンス，食器棚，書籍棚等の家具のスイングする扉の閉じ動作時の衝撃を緩衝するダンパの家具取付用のホルダに関するものであり、ダンパの取付位置（特にダンパ先端部の位置）を前後方向に極めて簡単に微調整することができる家具用ダンパホルダに関する。
【背景技術】
【０００２】
従来より、タンス，食器棚，書籍棚等の水平方向に揺動して開閉する扉を有する家具において、扉の蝶番に閉じ方向に弾性的に付勢する弾性体が装着されたものにより、扉の閉じ動作に勢いが有りすぎて、家具本体に扉がぶつかって、大きな衝撃音が発生することがある。特に、扉の閉じ動作が完了する瞬間が最もスイング速度が最大となり、その閉じたときの反動で扉が跳ね返り、扉の閉まりが不完全になることがある。このような、扉の動作は、高級な家具においては、決して好ましいものではない。そのために、閉じ方向に弾性的付勢を有する蝶番を備えた家具扉に対して、衝撃吸収のためのダンパが家具に具備されることが多い。
【特許文献１】特開２００１−５９３７７
【発明の開示】
【発明が解決しようとする課題】
【０００３】
前述したような、扉に閉じ方向に付勢する蝶番に対して、家具に装着されるダンパには、種々の抵抗力を有するものが存在し、扉の閉じ力に応じて適正なものが使用されなければならない。すなわち、蝶番の弾性による閉じ力に対してダンパの抵抗力が小さすぎたり、大きすぎる場合には、いずれも衝撃緩衝の役に立たない。特に、ダンパの抵抗力が大きすぎると、扉が完全に閉まりにくくなり、扉の閉まりが悪くなってしまう。これは、ダンパのピストンと扉の当接するタイミングが大きく影響する。
【０００４】
そのために、ダンパのピストンが扉と当接を開始する位置を最も適した位置に設置することができればよい。このダンパを家具に装着された構造が、特許文献１に記載されている。この特許文献１によれば、食器棚のカバーパネルにボア穴が形成され、このボア穴にシリンダが挿入されている。しかしながら、このようなダンパの装着構造では、ダンパの先端位置、すなわち扉が衝突するピストンの先端の位置の微調整は不可能である。
【０００５】
このようなダンパを家具に装着するためのホルダも存在している。しかし、その多くは、そのダンパの取付位置を微調整する場合に、ホルダ自体の位置を変更させなければならない。すなわち、通常ホルダは、ビス等の固着具にて固定されているものであり、ビス等の固着具を貫通させる孔が長孔としてあり、ビスを緩めることにより、ホルダの位置を僅かに変化させることができるようになっている。このような調整手段では、ビス等の固着具体的を一旦、家具から外して行なうか、或いは固着具用の孔が長孔であるならば、そのまま、長孔に沿ってずらすことになるが、いずれにしても、ビスを緩めることは必要とであり、やはり面倒な作業である。
【０００６】
このようにすることにより、ダンパの取付位置の変更を行なうことはできるが、微調整のために、僅かに位置をずらすこと自体極めて面倒であり、しかもその位置を変更させても、変更した位置が適正になっていないときには、再度位置決めをやり直さなくてはならない。そのために、家具本体には、ビス孔を開けなおす作業も加わり、家具の内部を見苦しいものにしてしまうおそれも十分にありうる。本発明の目的は、家具に装着するダンパの位置を極めて簡単に微調整することができ、且つその構造も極めて簡単にすることにある。
【課題を解決するための手段】
【０００７】
そこで、上記課題を解決すべく、発明は鋭意，研究を重ねた結果、請求項１の発明を、外螺子部が形成された移動部と、前記外螺子部と螺合し，前記移動部が回動操作によって軸方向に移動する内螺子部が形成されたべ一ス部とからなり、前記べ一ス部又は移動部に装着するダンパの先端位置を前記移動部の回動操作にて調節自在としてなる家具用ダンパホルダとしたことにより、上記課題を解決したものである。
【０００８】
次に、請求項２の発明を、外螺子部が外周に形成され，円筒孔形状のダンパ収納部が内方に形成された移動部と、前記外螺子部と螺合する内螺子部が貫通孔形状に形成されたべ一ス部とからなり、前記移動部の回動操作とともに前記ダンパ収納部に収納するダンパの先端位置を前後方向に調節自在としてなる家具用ダンパホルダとしたことにより、上記課題を解決したものである。
【０００９】
つぎに、請求項３の発明を、前述の構成において、前記移動部のダンパ収納部は、貫通孔としたり、又は請求項４の発明を、前述の構成において、前記移動部に形成されたダンパ収納部の挿入口側に前記外螺子部よりも大なる直径のダイアル部が形成されてなる家具用ダンパホルダとしたことにより、上記課題を解決したものである。
【００１０】
次に、請求項５の発明を、外螺子部が外周に形成された移動部と、貫通孔形状のダンパ収納部と，該ダンパ収納部の軸方向端部に形成されるとともに，前記外螺子部と螺合する内螺子部とを有するべ一ス部とからなり、前記移動部の回動操作とともに前記ダンパ収納部に収納するダンパの先端位置を前方に調節自在としてなる家具用ダンパホルダとしたことにより、上記課題を解決したものである。
【００１１】
次に、請求項６の発明は、前述の構成において、前記移動部の外螺子部の軸方向に隣接するとともに、該外螺子部より大なる直径の撮み部が形成されてなる家具用ダンパホルダとしたことにより、上記課題を解決したものである。さらに、請求項７の発明は、前述の構成において、前記外螺子部は内螺子部よりもネジ径が僅かに大なる家具用ダンパホルダとしたことにより、上記課題を解決したものである。
【発明の効果】
【００１２】
請求項１の発明によれば、本発明を介して扉付き家具に装着したダンパの先端位置の微調整を移動部の回動操作のみで極めて簡単に行なうことができる。次に、請求項２の発明によれば、移動部の内方側にダンパ収納部が形成されており、ダンパ収納部は移動部とともに移動するものであり、ダンパ収納部に収納するダンパを軸方向の前後に移動させることができ、ダンパ先端の位置の微調整が簡単にできる。
【００１３】
次に、請求項３の発明によれば、前記移動部のダンパ収納部を貫通孔としたことにより、ダンパの軸方向寸法において種々のサイズのものを使用可能にすることができる。また、請求項４の発明によれば、ダイアル部が家具の正面に位置するようにして本発明を家具に装着することで、ダンパ先端の位置調整は、家具の正面側に位置するダイアル部を適宜に回動させるのみで、極めて簡単且つ迅速に行なうことができるものである。さらに、ダイアル部の直径が外螺子部の直径より大なるものとすることで、ダイアル部を軸方向移動におけるストッパとしての役目もはたすことができる。
【００１４】
次に、請求項５の発明によれば、ダンパ収納部と内螺子部とが同一軸線状に一致するものであり、きわめて簡単な構造で、本発明を製造することができる。さらに、内螺子部がダンパ収納部の軸方向の一端側に形成され、移動部が前記内螺子部の形成箇所に螺合させている。これによって、前記移動部がダンパ収納部にダンパを収納する側とは反対側の位置となることから、本発明を家具に装着したときに、前記移動部は家具の内方側に向くことになり、その移動部は家具正面側に現れず、物の出し入れに際して、移動部に誤って当たってしまい、ダンパの位置が狂ってしまうようなことがなく、ダンパの位置を安定した状態に維持することができる。
【００１５】
次に、請求項６の発明によれば、移動部の回動操作を容易に行なうことができる。次に、請求項７の発明によれば、前記外螺子部を内螺子部よりもネジ径が僅かに大なることにより、内螺子部と外螺子部とが適宜の圧力を有して接触しているので、移動部による位置が決められた状態を維持するように停止させることができるものである。
【発明を実施するための最良の形態】
【００１６】
以下、本発明を図面に基づいて説明する。まず、本発明の構成は、主にべ一ス部Ａ、移動部Ｂと、ダンパ収納部８とから構成されるものであり、これらの構成による２つのタイプが存在する。その第１実施形態を図１乃至図５に基づいて、説明する。前記べ一ス部Ａは、図１，図２に示すように、本体部１と取付座部２とから構成されている。
【００１７】
その本体部１は、図１（Ａ）に示すように、直方体形状と，略半円体のアーチ形状とが一体的に構成された形状としたものである。その本体部１には、略長方形板状の取付座部２が形成され、さらにその取付座部２の幅方向両側には、補助取付座部２ａ，２ａが突出するようにして形成されている。そして、前記取付座部２及び補助取付座部２ａ，２ａには、ビス等の固着具用の取付孔２ｂ，２ｂ，…が形成されており、具体的にはサラモミ形状に形成されている。また、前記本体部１には、貫通孔１ａが形成され、該貫通孔１ａ内には、内螺子部３が形成されている。前記取付座部２及び補助取付座部２ａ，２ａは、べ一ス部Ａを家具本体２０の天井２０ａに装着するための台座の役目をなすものである。
【００１８】
次に、移動部Ｂは、図１，図２等に示すように、移動本体部４と外螺子部５と、ダイアル部６とから形成されている。前記移動本体部４は、略円筒形状に形成され、中空状となっている。その移動本体部４の外周部分に外螺子部５が形成され、図１（Ｂ），（Ｃ）及び図２（Ｂ）等に示すように、前記内螺子部３と外螺子部５とが螺合する構成となっている。そして、前記移動部Ｂを回動させることにより、図３（Ａ），（Ｂ）に示すように、前記移動部Ｂに形成された外螺子部５がべ一ス部Ａの本体部１に形成された内螺子部３に沿って回転しながら軸方向に移動させることができるようになっている。
【００１９】
前記移動本体部４の軸方向の一端側には、図１，図２に示すように、ダイアル部６が形成されている。該ダイアル部６は、外螺子部５の直径よりも大きく形成される。すなわちダイアル部６は、移動本体部４の直径よりも大きく形成されている。そのダイアル部６は、前記移動本体部４とともに外螺子部５を軸周方向に回転させ、べ一ス部Ａに対して移動部Ｂを軸方向に移動させる役目をなすものである。
【００２０】
そのダイアル部６の外周には、腕時計の竜頭のように、ローレットが形成されたり、又は略歯車形状に形成されている。これによって、前記ダイアル部６を手で摘んで回転させるときに、摘んだ手との間で滑りが生じにくく、移動本体部４の回転操作を行ない易くすることができるものである。また、ダイアル部６の外形が多角形状とすることもあり、具体的には六角形，八角形等が好適である。
【００２１】
そのダイアル部６は、図２（Ａ）に示すように、移動本体部４の直径よりも大きく形成されるタイプが存在する。このタイプのダイアル部６は、図２（Ｂ）に示すように、前記移動本体部４の本体部１に対する移動動作のストッパの役目もなすことができる。その移動本体部４の直径方向の中心には、ダンパ収納部８が形成されている。該ダンパ収納部８は、貫通孔として形成されたものであり、後述するダンパ１５のシリンダ部１５ａが挿入支持される（図３，図４参照）。
【００２２】
さらに、前記ダンパ収納部８の挿入側開口には、図２（Ｂ）に示すように、開口凹部８ａが形成されている。該開口凹部８ａは、その直径がダンパ収納部８の内径よりも僅かに大きく且つ浅く形成されたものであり、後述するダンパ１５のシリンダ１５ａに形成されたフランジ部１５ａ1 が収納されるようになっている〔図３（Ａ），（Ｂ）参照〕。この開口凹部８ａは、前記ダンパ１５をダンパ収納部８へ挿入する際における、ダンパ１５の標準設定の位置決めとしての役目をなす。
【００２３】
また、第１実施形態において、前記ダンパ収納部８は、貫通孔としない場合も存在し、そのダンパ収納部８におけるダンパ１５の挿入側開口とは反対側に位置する箇所が閉鎖或いは閉塞された構造のものである。さらに、移動部Ｂには、ダイアル部６が形成されず、前記移動本体部４のみから構成されることもある。この場合には、装着されたダンパ１５の位置調整は、作業員が直接移動本体部４を摘んで回動操作する。
【００２４】
次に、本発明の第２実施形態について、図６乃至図８に基づいて説明する。この第２実施形態では、前記ダンパ収納部８は、図６（Ｃ），（Ｄ）及び図７に示すように、べ一ス部Ａの本体部１側に一体的に形成されたものである。まず、前記べ一ス部Ａは、第１実施形態と同様に、本体部１と取付座部２とから構成されている。その本体部１は、図６（Ａ），（Ｂ）に示すように、略直方体形状となっている。その本体部１の幅方向両側から外方に突出するようにして略長方形板状の取付座部２が形成されている。その取付座部２には、ビス等の固着具用の取付孔２ｂ，２ｂ，…が形成されている。該取付孔２ｂは、前述したように、サラモミ形状に形成されている。
【００２５】
前記ダンパ収納部８は、図７に示すように、前記べ一ス部Ａの本体部１の長手方向に沿って貫通孔状に形成されたものである。このダンパ収納部８のダンパ挿入側開口箇所には、開口凹部８ａが形成され、挿入するダンパ１５のフランジ部１５ａ1 が納まるようになっている〔図８（Ａ）参照〕。また、前記ダンパ収納部８の軸方向一端側には、内螺子部３が形成されている。ここで、前記ダンパ収納部８の軸方向とは、貫通孔状のダンパ収納部８の孔形成方向のことである。そのダンパ収納部８と内螺子部３とは同一軸方向となる。そして、前記移動部Ｂの外螺子部５が、前記内螺子部３に螺合する構成となる。
【００２６】
この第２実施形態における移動部Ｂは、図６（Ｃ），（Ｄ）及び図７に示すように、押出部９と撮み部１０とから構成されたものであり、前記押出部９に外螺子部５が形成されている。その押出部９は、前記ダンパ収納部８の内螺子部３形成箇所に挿入され、該内螺子部３と前記外螺子部５とが螺合するものである。その撮み部１０は、前記べ一ス部Ａから外部に露出して、撮み部１０を触りやすい状態になっている（図６，図８等参照）。このような構成により、前記移動部Ｂは、ダンパ収納部８の軸方向に沿って移動することができる。
【００２７】
また、前記外螺子部５が形成された押出部９の軸方向の長さは、前記ダンパ収納部８のダンパ１５のシリンダ１５ａがきっちりと挿入された状態で、前記移動部Ｂを回動させることにより、前記シリンダ１５ａをダンパ収納部８から僅かに外方に押し出すことができる程度であればよい〔図８（Ｂ）参照〕。この第２実施形態のダンパホルダでは、前記移動部Ｂの撮み部１０を回転させることで、内螺子部３が外螺子部５に沿って軸方向に移動し、ダンパ収納部８に挿入されたダンパ１５のシリンダ１５ａを押し出すようにして、ダンパ１５の先端位置を範囲Ｌにおいて微調整するものである。なお、範囲Ｌは、特にダンパ１５の先端位置の微調整の範囲であり、実際に調整する場合には、その範囲Ｌは、小さいものである。しかし、移動部Ｂによるダンパ１５の先端位置の調整範囲は、図示された範囲Ｌよりも広くなっている。
【００２８】
そのダンパ１５は、シリンダ１５ａとピストン１５ｂから構成されている。前記シリンダ１５ａ内には、スプリングや粘性を有する流体が充填されている。その流体は、具体的にはオイルやグリース等である。そして、スプリングや流体がピストン１５ｂのシリンダ１５ａ内への引き込み動作における抵抗力を発生し、衝撃を吸収する。また、前記スプリングによりピストン１５ｂが元の位置に復元する役目もなしている。このダンパ１５は、後述するように、家具本体２０に装着されるものであり、常時，扉の閉じ方向に弾性作用を有する蝶番２２によって、家具扉２１が家具本体２０に閉じるときに、前記ピストン１５ｂが家具扉２１の衝撃を吸収するものである。
【００２９】
次に、前述した本発明の第１実施形態及び第２実施形態において、前記外螺子部５が内螺子部３よりもネジ径が僅かに大きくなるようにすることがある。これは、前記外螺子部５が内螺子部３に対して、少し、きつい状態で螺子移動することが可能な程度で、且つ前記移動部Ｂが内螺子部３の軸方向の所望の位置に略固定状態で停止させることができるようにしたものである。このようにすることで、家具扉２１の開閉によるダンパ１５との衝突時により衝撃に対して、移動部Ｂの停止位置がべ一ス部Ａからずれることを防止し、ダンパ１５のピストン１５ｂ先端と家具扉２１との開閉における当接開始位置を常時良好に維持することができる。
【００３０】
本発明のダンパホルダは、図９（Ａ），（Ｂ）に示すように、書籍棚，たんす等の家具に使用され、家具本体２０の天井２０ａ（頂部裏面側）に、ビス等の固着具によって固着される。そして、第１実施形態のダンパホルダでは、前記ダイアル部６が家具本体２０の開口側に位置するようにして配置される。すなわち、人が家具扉２１を開いたときに、その人と向い合うような位置関係となる。また、ダンパホルダは、図９（Ｄ）に示すように、家具扉２１の開閉する自由端側に対応する位置に装着されるものであるが、必要に応じて、図９（Ｅ）に示すように、家具扉２１の蝶番２２側寄りにダンパホルダを装着してもよい。いずれにしても、家具扉２１の大きさ、重量等に合わせて、ダンパホルダの装着位置を適宜選択することができる。そして、そのダンパ収納部８にダンパ１５のシリンダ１５ａが挿入され、フランジ部１５ａ1 がダンパ収納部８の開口凹部８ａに当接するようにして固定される。
【００３１】
次に、家具扉２１を閉じて、該家具扉２１の閉じ完了時の衝撃が最も良好に緩和されるように、そのダンパ１５のピストン１５ｂ先端との当たり位置を決定する。この当たり位置の決定は、前記ダイアル部６を回動させながら、ダンパ１５を軸方向に沿って前後に移動させて範囲Ｌにおいて微調整を行なう。そのダイアル部６は、正逆両方向に回転させることで、ピストン１５ｂ先端位置を所望の量だけ出入させることができる〔図９（Ｂ）参照〕。
【００３２】
また、第２実施形態のダンパホルダも図９（Ｂ）に示すように、第１実施形態と略同様に移動部Ｂの撮み部１０を回動操作することによって、ダンパ１５の先端位置をダンパ収納部８から外方に押し出して、ダンパ１５の先端位置の微調整することができる。そして再度ダンパ１５を収納するときには、移動部Ｂを元の位置にもどしてダンパ１５を直接、ダンパ収納部８に押し込む。なお、本発明のダンパホルダは、前述したように、家具本体２０の天井２０ａに装着されるが、必ずしもこれに限定されるものではなく家具本体２０の左右の側壁に装着されたり、或いは底部に装着されることもある。
【図面の簡単な説明】
【００３３】
【図１】（Ａ）は第１実施形態のダンパホルダ及びダンパの斜視図、（Ｂ）は一部切除した側面図、（Ｃ）は一部切除した平面図、（Ｄ）は正面図である。
【図２】（Ａ）は第１実施形態のダンパホルダの分解した縦断側面図、（Ｂ）は第１実施形態のダンパホルダの縦断側面図である。
【図３】（Ａ）は第１実施形態のダンパホルダおいてダンパを標準位置とした縦断側面図、（Ｂ）第１実施形態のダンパホルダにおいてダンパを前方に突出させた縦断側面図である。
【図４】第１実施形態のダンパホルダにダンパを装着した斜視図である。
【図５】（Ａ）は家具本体の天井に第１実施形態のダンパホルダを装着した側面図、（Ｂ）は（Ａ）においてダンパを前方に突出させた側面図である。
【図６】（Ａ）は第２実施形態のダンパホルダ及びダンパの斜視図、（Ｂ）はダンパホルダにダンパを装着した斜視図、（Ｃ）は第２実施形態のダンパホルダの一部切除した側面図、（Ｄ）は一部切除した平面図、（Ｅ）は正面図である。
【図７】第２実施形態のダンパホルダの分解した状態の縦断側面図である。
【図８】（Ａ）は第２実施形態のダンパホルダおいてダンパを標準位置とした縦断側面図、（Ｂ）第２実施形態のダンパホルダにおいてダンパを前方に突出させた縦断側面図である。
【図９】（Ａ）は本発明のダンパホルダを家具に装着した斜視図、（Ｂ）は第１実施形態のダンパホルダの調整状態を示す斜視図、（Ｃ）は第２実施形態のダンパホルダの調整状態を示す斜視図、（Ｄ）はダンパホルダを家具扉の自由端側に対応する位置に装着た平面略示図、（Ｅ）はダンパホルダを家具扉の蝶番側に対応する位置に装着た平面略示図である。
【符号の説明】
【００３４】
Ａ…べ一ス部、Ｂ…移動部、３…内螺子部、５…外螺子部、８…ダンパ収納部、
１０…撮み部、１５…ダンパ。
【図１】
2006104680.tif 000003
【図２】
2006104680.tif 000004
【図３】
2006104680.tif 000005
【図４】
2006104680.tif 000006
【図５】
2006104680.tif 000007
【図６】
2006104680.tif 000008
【図７】
2006104680.tif 000009
【図８】
2006104680.tif 000010
【図９】
2006104680.tif 000011